(57)【特許請求の範囲】
【請求項１】
情報を２次元コードに対応した光パターンで表示可能な表示手段と、
測定した環境条件に対応した送信情報を前記光パターンで表示させるための２次元符号化データに変換する手段と、
前記送信情報を時系列データに変換する手段と、
前記光パターンが前記時系列データに基づいて強度変調されるように、前記２次元符号化データと前記時系列データとを重畳する手段と、
当該重畳されたデータに基づいて前記表示手段を駆動する手段と、
を有する送信装置、および
前記表示手段を撮影するカメラと、
該カメラが撮影した映像から前記光パターンを読取って前記送信情報を復元する手段と、
前記光パターンの強度変調状態から前記送信情報を復元する手段と、
を有し、
前記光パターンを読取って前記送信情報を復元する手段による前記送信情報の復元が不能である場合にも、前記光パターンの強度変調状態から前記送信情報を復元する手段による前記送信情報の復元が可能であるように構成された受信装置、
を備えたことを特徴とする光無線通信装置。
【請求項２】
前記環境条件としての温度、圧力および音響の少なくとも１つを前記送信情報とするために、前記送信装置は、温度測定手段、圧力測定手段および音響処理手段の少なくとも１つを含むことを特徴とする請求項１に記載の光無線通信装置。
【請求項３】
前記表示手段には、
前記光パターンを長波長の可視光で表示する領域と、
波長の異なる光源と、該光源の前面に配されたブラウニング現象を生じる部材と、を有する領域と、
が設けられ、
前記受信装置は、前記光源からの光の強度に基づいて積算放射線量を算出する手段をさらに有する、
ことを特徴とする請求項１または請求項２に記載の光無線通信装置。
【請求項４】
情報を２次元コードに対応した光パターンで表示可能な表示手段と、前記表示手段を撮影するカメラと、を用い、
測定した環境条件に対応した送信情報を前記光パターンで表示させるための２次元符号化データに変換する工程と、
前記送信情報を時系列データに変換する工程と、
前記光パターンが前記時系列データに基づいて強度変調されるように、前記２次元符号化データと前記時系列データとを重畳する工程と、
当該重畳されたデータに基づいて前記表示手段を駆動する工程と、
前記カメラが撮影した映像から前記光パターンを読取って前記送信情報を復元する工程と、
前記光パターンの強度変調状態から前記送信情報を復元する工程と、
を備え、
前記光パターンを読取って前記送信情報を復元する工程による前記送信情報の復元が不能である場合にも、前記光パターンの強度変調状態から前記送信情報を復元する工程による前記送信情報の復元が可能であることを特徴とする光無線通信方法。
【請求項５】
請求項２または３に記載の光無線通信装置を用いる光無線通信システムであって、
少なくとも１台の前記送信装置が設置されるとともに、
前記受信装置は、
前記カメラにより撮影された映像に基づいて前記少なくとも１台の送信装置を特定する手段と、
当該特定された送信装置に送信情報を関連付ける手段と、
を備えることを特徴とする光無線通信システム。
【請求項６】
請求項２または３に記載の光無線通信装置を用いる光無線通信システムであって、
前記受信装置は、
前記送信装置を撮影する少なくとも１台の前記カメラと、
前記少なくとも１台のカメラにより撮影された映像に基づいて前記送信装置を特定する手段と、
当該特定されたそれぞれの送信装置に送信情報を関連付ける手段と、
を備えることを特徴とする光無線通信システム。
【発明の詳細な説明】
【技術分野】
【０００１】
本発明は、光無線通信装置、光無線通信方法および光無線通信システムに関し、特に通信状態が変化した場合においても、受信側から送信側への情報伝送速度の変更指示を要さずに、データの通信を可能にする技術に関するものである。
【背景技術】
【０００２】
複数の送信装置が設置され、データを光無線で送信し、これを離隔した受信装置において受信する光空間通信を行うような場合、効率の良い通信を行うために、ＬＥＤなどを２次元に配列した発光手段をデータに対応して発光させる一方、受信装置側に設けた受光手段によりこれを受光することで送信対象データを通信することが有効となり得る。このような光無線通信方式の一例としては、特許文献１に開示されたものがある。同文献には、送信される情報については特に記載はないが、情報光を並列に発信する２次元配列されたＬＥＤアレイを含む送信装置と、情報光を並列に受信する２次元受光部を含む受信装置とを備え、ＬＥＤアレイの発光パターンを変化させることによりデータを通信する一方、通信状態が悪化した場合には受信側から送信側にフィードバックし、近傍の複数個ずつのＬＥＤを同期駆動するという、情報伝送の並列度を下げて通信を行う技術が開示されている。より具体的には、特許文献１では、２次元配列された８×８個のＬＥＤ素子を有するＬＥＤアレイが用いられ、通信状態が良好なときにはＬＥＤの発光を個別に制御した発光パターンにてデータ送信を行う一方、通信状態が不良となったときには近傍にある２×２個のＬＥＤ素子をグループとした発光パターンにてデータ送信を行うことが記載されている。そしてこれにより、通信状態悪化時には、並列度を下げることで並列送信できるデータは減少するものの、発光パターンは受光側で認識し易くなり、安定した通信が可能となるとされている。
【０００３】
特許文献１においては、通信状態の良否は送信装置と受信装置とのフィードバックを通じて並列化の程度を定める指示が送信装置側に伝達され、ＬＥＤアレイの駆動態様が設定されるようにしている。つまり、特許文献１に記載された構成では、送信装置と受信装置との双方向通信を通じて、送信装置の設定を通信状態に適応させるものである。しかしながら、送信装置が置かれる環境が悪く、また特に、複数の送信装置が用いられる場合には、並列化の程度を定める指示が受信装置から送信装置に個別に伝達されなかったり、送信装置を通信状態に個別に適応させる設定を行うことができなくなったりする恐れがある。さらに、送信側にも受信手段を配置する必要があるために、送信装置の回路規模が大きくなり、また消費電力の増大が生じる。
【先行技術文献】
【特許文献】
【０００４】
【特許文献１】特開２００６−１９１３１３号公報
【発明の概要】
【発明が解決しようとする課題】
【０００５】
本発明の目的は、光無線通信において、通信状態が変化した場合でも、受信側から送信側への情報伝送速度の変更指示を要さずに、安定した通信が可能となるようにすることにある。
【０００６】
また、本発明の他の目的は、複数の送信装置が設置され、それぞれの送信装置と受信装置との間の通信状態にばらつきがあっても、複数の送信装置からの情報を安定して通信できるようにすることにある。
【０００７】
さらに、本発明の別の目的は、使用済み核燃料プールの水中に設置されることを考慮し、水温，圧力等の送信対象データの通信のほか、受信側において積算放射線量の判定に供する情報を提示可能な構成を提供することにある。
【課題を解決するための手段】
【０００８】
そのために、本発明光無線通信装置は、情報を２次元コードに対応した光パターンで表示可能な表示手段と、測定した環境条件に対応した送信情報を前記光パターンで表示させるための２次元符号化データに変換する手段と、前記送信情報を時系列データに変換する手段と、前記光パターンが前記時系列データに基づいて強度変調されるように、前記２次元符号化データと前記時系列データとを重畳する手段と、当該重畳されたデータに基づいて前記表示手段を駆動する手段と、を有する送信装置、および
前記表示手段を撮影するカメラと、該カメラが撮影した映像から前記光パターンを読取って前記送信情報を復元する手段と、前記光パターンの強度変調状態から前記送信情報を復元する手段と、を有し、前記光パターンを読取って前記送信情報を復元する手段による前記送信情報の復元が不能である場合にも、前記光パターンの強度変調状態から前記送信情報を復元する手段による前記送信情報の復元が可能であるように構成された受信装置、
を備えたことを特徴とする。
【０００９】
ここで、前記環境条件としての温度、圧力および音響の少なくとも１つを前記送信情報とするために、前記送信装置は、温度測定手段、圧力測定手段および音響処理手段の少なくとも１つを含むものとすることができる。
【００１０】
また、前記表示手段には、前記光パターンを長波長の可視光で表示する領域と、波長の異なる光源と、該光源の前面に配されたブラウニング現象を生じる部材と、を有する領域と、が設けられ、前記受信装置は、前記光源からの光の強度に基づいて積算放射線量を算出する手段をさらに有するものとすることができる。
【００１１】
さらに、本発明光無線通信方法は、情報を２次元コードに対応した光パターンで表示可能な表示手段と、前記表示手段を撮影するカメラと、を用い、
送信情報を前記パターンで表示させるための２次元符号化データに変換する工程と、
前記送信情報を時系列データに変換する工程と、
前記光パターンが前記時系列データに基づいて強度変調されるように、前記２次元符号化データと前記時系列データとを重畳する工程と、
当該重畳されたデータに基づいて前記表示手段を駆動する工程と、
前記カメラが撮影した映像から前記光パターンを読取って前記送信情報を復元する工程と、
前記光パターンの強度変調状態から前記送信情報を復元する工程と、
を備え、
前記光パターンを読取って前記送信情報を復元する工程による前記送信情報の復元が不能である場合にも、前記光パターンの強度変調状態から前記送信情報を復元する工程による前記送信情報の復元が可能であることを特徴とする。
【００１２】
加えて、本発明は、上記光無線通信装置を用いる光無線通信システムであって、
少なくとも１台の前記送信装置が設置されるとともに、
前記受信装置は、
前記カメラにより撮影された映像に基づいて前記少なくとも１台の送信装置を特定する手段と、
当該特定された送信装置に送信情報を関連付ける手段と、
を備えることを特徴とする。
【００１３】
さらに加えて、本発明は、上記光無線通信装置を用いる光無線通信システムであって、
前記送信装置を撮影する少なくとも１台の前記カメラと、
前記少なくとも１台のカメラにより撮影された映像に基づいて前記送信装置を特定する手段と、
当該特定されたそれぞれの送信装置に送信情報を関連付ける手段と、
を備えることを特徴とする。
【発明の効果】
【００１４】
本発明によれば、光無線通信において、通信状態が変化した場合でも、受信側から送信側への情報伝送速度の変更指示を要さずに、安定した通信が可能となるようになる。
【００１５】
また、複数の送信装置が設置される場合において、それぞれの送信装置と受信装置との間の通信状態にばらつきがあっても、複数の送信装置からの情報を安定して通信できるようにすることになる。すなわち、各送信装置に受信側から送信側への情報伝送速度の変更指示のフィードバックを要しないために複数の送信装置の受信手段に対応した多重化を必要とせず、且つ複数の送信装置が存在しても通信品質劣化の恐れもなくなる。
【００１６】
さらに、本発明によれば、使用済み核燃料プールの水中に設置されることを考慮した構成すなわち、水温，圧力等の送信対象データの通信のほか、受信側において積算放射線量の判定に供する情報を提示可能な構成が提供される。
【図面の簡単な説明】
【００１７】
【図１】本発明の一実施形態に係る送信対象データの光無線通信装置の概念を説明するための説明図である。
【図２】送信対象データの送信装置の外観構成を示す模式的斜視図である。
【図３】図２のＬＥＤアレイにおけるＬＥＤの配置例を示す模式的平面図である。
【図４】送信装置のハードウェア構成の一例を示すブロック図である。
【図５】送信装置の機能的な構成を説明するための機能ブロック図である。
【図６】送信装置におけるパターン表示／点滅制御手順の一例を示すフローチャートである。
【図７】（ａ）〜（ｃ）は、送信対象データに応じた２次元コードの例を示す説明図である。
【図８】送信装置における２次元符号化データおよび時系列データの重畳の一態様を説明するためのタイミングチャートである。
【図９】受信装置のハードウェア構成の一例を示すブロック図である。
【図１０】受信装置の機能的な構成を説明するための機能ブロック図である。
【図１１】受信装置におけるデータ処理の一例を示すフローチャートである。
【図１２】受信装置において行われる積算放射線量の算定を説明するための説明図である。
【発明を実施するための形態】
【００１８】
以下、図面を参照して本発明を詳細に説明する。  
なお、本明細書および図面に現れる用語を以下のように定義する。
【００１９】
「環境条件」とは、以下に述べる実施形態における送信装置が設置されている環境において、送信装置に付随するセンサ等の測定対象となる条件（温度、圧力その他）を言い、「送信対象データ」とは、環境条件の種類およびその測定値並びにＩＤなど、受信装置への送信が企図されているデータを言うものとする。「通信状態」とは、送受信装置間に介在する空間的要因に起因したものを言う。
【００２０】
「２次元コード」とは測定データを空間的な２次元データで表現したものを言い、「２次元符号化データ」とは送信対象データを２次元コードに対応した光のマトリクスパターンで表現するために生成される中間的なデータを言う。「パターン表示」とは、送信対象データが２次元コードに対応したパターンで表示されるようにＬＥＤアレイを駆動することを言う。「時系列データ」とは、パターン表示全体を点灯／消灯（点滅）させる強度変調が行われるよう、送信対象データから作成された時間軸方向に１次元のデータを言う。「強度変調」とは、時系列データ化された送信対象データに基づき、パターン表示を点滅させることを言う。「重畳」とは、パターン表示を行うための２次元符号化データに対し、時系列データに基づいて点滅を行わせるための強度変調信号を重ね合わせることを言う。
【００２１】
１．光無線通信システムの構成
図１は、本発明の一実施形態に係る光無線通信システムを示し、概して送信対象データの送信装置１００および受信装置２００を備えるものである。なお、以下では使用済み核燃料プール（以下、単に燃料プールという）等の環境条件（放射線（ガンマ線）がある場合を含む）を測定する環境条件の通信システムに具現化し光通信システムについて説明するが、本発明はこれに限られないことは勿論である。
【００２２】
送信装置１００は、燃料プール１０に複数個が分散配置され、配置箇所における環境条件として、水温，水圧，音響その他を測定するとともに、当該送信対象データを２次元符号化データに変換し、２次元配列されたＬＥＤアレイに２次元コードに対応したパターンにて表示させる機能を有する。
【００２３】
受信装置２００はカメラ２１０およびデータ処理装置２２０を備える。カメラ２１０は、送信装置１００から所定の高さに設置され、複数の送信装置１００を破線で示す視野に捉えるようにして燃料プール１０内を撮影する。データ処理装置２２０は、カメラ２１０によって撮影された映像から、各送信装置１００の位置等を特定するとともに、各送信装置１００から得たＬＥＤアレイの発光状態に基づき、燃料プール１０の環境条件（水温，水圧，音響等）を計測および表示するためのデータの作成を行う。なお、図１においては、２台の送信装置１００および１台のカメラ２１０が示されているが、それらの台数は燃料プール１０の大きさ、送信装置１００を設置すべき範囲およびカメラ２１０の視野角に応じて適宜定め得るものである。
【００２４】
本発明は、通信効率を重視するというよりもむしろ、受信装置２００の側でのみ通信状態の変化に適応する動作を行うことに重点を置き、且つ送受信側双方の構成の簡略化、送信装置側の省電力化および耐環境性の向上に資することのできる通信システムを提供するものである。すなわち、受信側から送信側への情報伝送速度の変更指示を行う光無線通信装置の構成では、受信装置への送信手段の配設および送信装置への受信手段の配設が必須となるが、本実施形態の通信システムの適用対象となる燃料プール１０のように、放射線、特にガンマ線の存在する環境下では、受信部の雑音が大きく、微弱な光の受信が困難となる。従って、受信側からの情報伝送速度の変更指示の送信パワーを大とする必要が生じるが、送信装置が水中に投入される構成では、水の濁りや気泡による散乱、また異物の存在を考慮して、受信装置の送信手段および送信装置の受信手段を構成する必要が生じる。また、複数の送信装置が設置される構成では、それぞれの送信装置に対し個別に情報伝送速度の変更指示を行うための構成も考慮しなければならない。
【００２５】
そこで本発明は、それらのような構成を要することなく、またこれにより送信装置には小型の電源部（電池など）の使用もしくは長時間の動作を保証しつつ、通信状態の変化に対処することができるようにするものである。特に本実施形態においては、送信装置１００は、２次元コード化された情報通信速度の高い信号と時系列データ化された情報通信速度の低い信号とを重畳してＬＥＤアレイの発光制御を行う一方、受信装置では２次元コードおよび／または時系列信号から送信対象データを認識するという自己適応型の動作を行う。これにより、送受信装置間では、双方向通信によって通信状態の変化に適応する制御を必要とせずに、所要の情報の送受信が可能となる。
【００２６】
つまり、受信装置２００は本来、カメラ２１０の視野にある各送信装置１００のＬＥＤアレイによる表示パターンに基づいて２次元コードを認識できることが好ましいが、送信装置１００がカメラ２１０の視野の端に存在している場合や、水の濁りや著しいゆらぎが生じていたり、気泡や障害物が介在していたりする場合などはその認識が困難ないしは不能となる。しかし最低限、ＬＥＤが発光しているか否かは認識できる蓋然性が高いので、時系列データに基づく強度変調を行い、２次元コードに対応した表示パターン全体が点滅するようにすることで、２次元コードデータおよび時系列データがともに送信されるようにする。一方、受信装置２００では、カメラ２１０を介して取り込んだ２次元コードに対応した表示パターンおよび時系列信号に対応した点滅状態の少なくとも一方に基づいて燃料プール１０内の環境条件を計測する。
【００２７】
以下、送信装置および受信装置のより具体的な構成および機能について説明する。
【００２８】
２．送信装置
図２は、送信対象データの送信装置の外観構成を示す模式的斜視図である。本実施形態の送信装置１００は、水中に投入されることを考慮して防水構造を有し、且つ電池１５６を電源として作動するものである。送信装置には、その設置箇所における燃料プール１０の水温を検出する温度センサ１１０および水圧を検出する圧力センサ１２０が設けられる。また、送信装置１００には、燃料プール１０内の音響をピックアップするマイクロフォンを有し、ピックアップされた音響を解析していくつかの周波数帯域に分け、さらに帯域毎に周波数のレベル化を行う音響処理部１３０が設けられる。音の波形は情報量が多いので、ピックアップされた音響を音響処理部１３０によりＩＩＲやＦＦＴなどのフィルタを通して分析し、スペクトルとして送信することで、圧縮できる。さらに送信装置１００の一側面１４１には、ＬＥＤが２次元配列されたＬＥＤアレイ１４０が配置されており、送信装置１００は当該側面１４１を上に向けた状態（すなわちカメラ２１０に向く状態）として燃料プール１０内に設置される。なお、送信装置の外観形状は、直方体、円柱、円錐台、角錘台など適宜のものとすることができる。但し、設置されたときにカメラが捉えやすい側面１４１を有するものであることが好ましい。
【００２９】
図３はＬＥＤアレイ１４０におけるＬＥＤの配置例であり、それぞれの丸が個々のＬＥＤ１４３を示している。本実施形態におけるＬＥＤアレイ１４０は、概して、送信対象データに基づいてパターン表示／点滅を行うための送信対象データ領域１４２と、積算放射線量算出用の情報を提供する積算線量情報提示領域１４６（一点鎖線の枠内に示される）とを有している。
【００３０】
送信対象データ領域１４２は、本実施形態ではマトリクス状にＭ×Ｎ個（Ｍ，Ｎ≧２）のＬＥＤ１４３を配列した矩形の領域であり、送信対象データは２次元コードの形態にてパターン表示される。図３では丸で示す各ＬＥＤが２次元コードのセルに対応しており、黒丸が点灯しているＬＥＤを、白丸が消灯しているＬＥＤを表わすものとする。送信対象データ領域１４２は、表示パターンによらず全ＬＥＤを同期させて消灯させることで時系列データを提示するためにも用いられる。なお、各ＬＥＤ１４３が矩形の反射板で囲まれるようなフレーム部材を配設することで、丸ではなく矩形のセルが認識されるようにしてもよい。
【００３１】
なお、２次元コードとしては、独自コードとすることもできるし、例えば送信対象データ領域１４２に切り出しシンボル用の領域１４４（図３中の破線で示される）が設けられているマイクロＱＲコード（登録商標）を用いることもできる。しかし２次元コードは適宜定め得るものであることは勿論である。また、これに応じ、領域１４２の形状は、矩形（正方形あるいは長方形）であってもよいし、三角形、円形、長円形、多角形その他であってもよい。さらに、２次元コードで表現する情報の大きさなどに応じ、ＬＥＤの配列個数や配列態様についても適宜定め得るものである。
【００３２】
また、受信装置２００側では、点灯しているＬＥＤを黒セル、消灯しているＬＥＤを白セルに置き換えて判定することが、送信対象データに対応した表示パターンを明確に認識する上で好ましい。さらに、２次元符号化は、点灯するＬＥＤと消灯するＬＥＤとの比率がほぼ同数となるように規定されることが好ましい。全点灯または全消灯に近くなるような符号化率では表示パターンを認識しにくくなるからである。また、ほぼ５０％の符号化率とすれば、時系列データに基づく強度変調時の輝度差も認識し易くなる。
【００３３】
送信対象データ領域１４２に配置されるＬＥＤ１４３は、水の濁り等による減衰の影響を受けにくいことから、長波長の可視光、例えば赤色光を発する赤色ダイオードとされる。これに対し、図３に示す積算線量情報提示領域１４６には、送信対象データ領域１４２の一辺に沿って、波長の異なるＬＥＤ、例えば赤色ダイオード１４６Ｒ、緑色ダイオード１４６Ｇおよび青色ダイオード１４６Ｂの形態のＬＥＤが配置されている。そして、これらのＬＥＤには、積算放射線量によりブラウニング現象を生じるプラスチックモールド品を使用することができる。特にＬＥＤチップを封入部材によって封入したＬＥＤであって、当該封入部材がブラウニング現象を生じる樹脂またはガラス製であるＬＥＤを使用することで、後述するように波長毎に受光した光の強度比の変化から積算線量を算定することが可能となる。しかし積算放射線量の算定を行う上でブラウニング化が不十分であったり、あるいはブラウニング現象を生じない材質を含んだＬＥＤが使用されたりする場合には、例えば積算線量情報提示領域１４６の前面（図３において一点差線で示す部位）に、ブラウニング現象を生じる樹脂またはガラス製のフィルタを介挿すればよい。
【００３４】
なお、図３のように、積算線量情報提示領域１４６が送信対象データ領域１４０の一辺の近傍に配置され、送信対象データ領域１４０と積算線量情報提示領域１４６とが排他的に（例えば交互に）駆動される構成では、送信対象データ領域１４０におけるＬＥＤの個数Ｍ×Ｎと積算線量情報提示領域１４６におけるＬＥＤの個数Ｐ（本実施形態では各色２個の計６個）との関係を次のように定めることが好ましい。すなわち、送信対象データ領域１４０における２次元コードの符号化率が５０％（＝１／２）であること、および、コントラストを良好にして受信装置での判別に供するために送信対象データ領域１４０と積算線量情報提示領域１４６とのコントラスト比を１０：１とすることを考慮して、Ｍ×Ｎ＞２０×Ｐとすることが有用である。
【００３５】
図４は送信装置１００のハードウェア構成の一例を示す。図４において、制御部１５０は各センサからそれぞれ増幅器１１３、１２３および１３３を介して入力される送信対象データを処理し、ＬＥＤドライバ１５４を介してＬＥＤアレイ１４０の送信対象データ領域１４２のパターン表示／点滅を制御する。この制御部としては、例えば、ＣＰＵ、ＲＯＭ、ＲＡＭ、Ａ／Ｄ変換器、Ｄ／Ａ変換器およびインターフェースなどを実装した１チップのマイクロコントローラ形態のものとすることができる。
【００３６】
図５は送信装置１００の機能的な構成を説明するための機能ブロック図である。ここで、データ取込ブロック１６１は、各センサからの測定信号を後述のタイミングで取り込み、入力データバッファ１６３に格納する。入力データバッファ１６３に展開された送信対象データは、２次元符号化ブロック１６９および時系列データ化ブロック１６７によりそれぞれ２次元符号化データおよび時系列データに変換され、出力データバッファ１６９および１７１にそれぞれ格納される。これらの情報はデータ転送ブロック１７０により適時読み出され、データ重畳ブロック１７５による重畳処理を経て、ＬＥＤアレイ１４０に出力される。従って、送信対象データ領域１４０では、２次元コードに対応したパターン表示が行われるとともに、表示されたパターンの強度変調（具体的には、点灯しているＬＥＤを同期させて消灯させる動作）が行われる。
【００３７】
なお、積算線量情報提示領域１４６に関しては、後述するように受信装置２００側で各色ＬＥＤの光強度を計測することで積算放射線量の算出を行うので、特別な駆動制御は基本的には不要である。例えば、積算線量情報提示領域１４６のＬＥＤが常時点灯しているようにしてもよく、送信対象データ領域１４２と同時に点灯するようにしてもよいが、それらの場合には、水の濁りや気泡その他による光の散乱に起因した誤認識が生じない所定距離だけ、積算線量情報提示領域１４６が送信対象データ領域１４２から離隔して配置されているべきである。また、積算線量情報提示領域１４６のＬＥＤ群と送信対象データ領域１４０のＬＥＤ群とが排他的に（例えば交互に）駆動される構成とすれば、すなわちパターン表示／点滅の動作を行う際には積算線量情報提示領域１４６の全ＬＥＤを消灯させておく構成とすれば、離隔させる距離の制限がない分、送信装置１００の小型化に資することができる。
【００３８】
データ転送ブロック１７０は、２次元符号化データについての所要の転送処理が終了するとデータ取込ブロック１６１に指示を送り、そのタイミングで次の送信対象データの取り込み、入力データバッファ１６３への格納、２次元符号化、２次元符号化データの出力バッファ１６９への格納およびデータ重畳ブロック１７５への転送が行われる。一方、２次元コードに比べて時系列データは情報伝送速度が低い。このため、データ転送ブロック１７３は、時系列データの転送が終了するまでは時系列データ化ブロック１６７を非作動状態としておく。従って、送信対象データの取り込みに応じて入力データバッファ１６３が更新されても、時系列データの出力データバッファ１７１の内容は変化しない。つまり、２次元コードに相当するパターン表示と時系列データに対応した点滅とは非同期に行われる。この詳細については後述する。
【００３９】
なお、具体的には、データ取込ブロック１６１はゲート回路を有するインターフェース、入力データバッファ１６３および出力データバッファ１７１はＲＡＭに設けられる一時記憶領域である。各ブロックの動作は、ＲＯＭに格納されたプログラムに従って、ＣＰＵが自ら行う処理またはＣＰＵの指示に基づき所定のハードウェアが行う処理である。
【００４０】
図６は上記プログラムに対応した送信手順の一例を示す。本手順が起動されると、まず送信対象データの取り込みを行い（ステップＳ１０１）、２次元符号化データの作成および記憶領域への格納が行われる（ステップＳ１０３）。次に、その時点で時系列データの転送が終了しているか否かを判定し（ステップＳ１０５）、肯定判定であれば今回取り込んだ送信対象データについて新たな時系列データの作成および記憶領域への展開が行われる（ステップＳ１０７）。ここで、本手順の起動直後にはステップＳ１０５では肯定判定がなされ、２次元符号化データおよび時系列データは同じ時点で取り込まれた送信対象データに対応したものとなる。
【００４１】
次に、２次元符号化データおよび時系列データを転送し、これらを重畳させつつＬＥＤアレイ１４０に出力する（ステップＳ１０９）。これに応じて、送信対象データ領域１４０ではパターン表示／点滅の動作が行われる。
【００４２】
ステップＳ１１１では、２次元符号化データの所要の転送処理が完了したか否か、すなわち、送信対象データ領域１４０でのパターン表示とカメラ２１０の撮影タイミングのずれを考慮して、各送信対象データの２次元符号化データをカメラ２１０の所定フレーム数に相当するｎ回分転送したか否かを判定する。ここで肯定判定された場合にはステップＳ１０１に復帰し、送信対象データの取り込みを行って以降の手順を繰り返す。一方、否定判定された場合には現在実行している時系列データの転送が完了したか否かを判定し（ステップＳ１１３）、肯定判定された場合にはステップＳ１０７へ、一方否定判定された場合にはステップステップＳ１０９に移行する。
【００４３】
本手順においては、２次元符号化データの所要の転送処理が完了した場合にはステップＳ１０１にて新たな送信対象データの取り込みが行われ、それに基づいて２次元符号化データの作成および格納が行われる。しかしこの時点で前回の送信対象データから作成した時系列データの転送・出力が完了していなければステップＳ１０５で否定判定がなされ、ステップＳ１０７がスキップされることで新たな送信対象データに基づく時系列データの作成および格納は行われず、現在の（すなわち前回の）時系列データの転送・出力が継続されることになる。また、ステップＳ１１３で否定判定された場合にも同様に現在の時系列データの転送・出力が継続される。新たな時系列データが作成および格納されるのはステップＳ１１３で肯定判定された場合であり、新たな時系列データはその時点で取り込まれている送信対象データに基づいて作成される。従って、本実施形態の場合、２次元符号化データと時系列データとは、同じ時点で取り込まれた送信対象データに基づいて作成されたものではない。つまり両者は非同期であり、表示パターンを強度変調する時系列データは、その表示パターンとは測定時点がずれたものとなる。
【００４４】
図７および図８を用い、２次元符号化データと時系列データとの関係について説明する。  
図７（ａ）、（ｂ）および（ｃ）は、それぞれ、水温、水圧および音響に関する送信対象データを１６進情報として２次元コード化した例を示す。例えば、水温に関する送信対象データは、種類に関する情報を「１」とし、００．０℃〜９９．９℃を表わす３桁の数値「０００」〜「９９９」のいずれかを付加した４桁の数値情報に対応したものとすることができる。また、水圧に関する送信対象データは、種類に関する情報を「２」とし、想定される範囲の水圧を表わす３桁の数値を付加した４桁の数値情報に対応したものとすることができる。さらに音響に関する送信対象データについては、種類に関する情報を「３」とし、１００Ｈｚ〜１ｋＨｚの周波数を９帯域に分けた場合の各帯域を示す１桁の数値と、帯域内での周波数レベルを表わす２桁の数値とを付加した４桁の数値情報に対応したものとすることができる。なお、これらのような送信対象データの表現はあくまでも例示である。
【００４５】
図８は送信装置における２次元符号化データおよび時系列データの重畳の一態様を説明するためのタイミングチャートである。（ａ）は２次元コードに対応した２次元符号化データを示し、１つの升目が受信装置２００側のカメラ２１０の１フレームに対応している。「Ｔ１」、「Ｐ１」および「Ａ１」は、それぞれ、ある時点ｔ１で測定した水温、水圧および音響の送信対象データを表わし、「Ｔ２」は次の時点ｔ２で測定した水温についての送信対象データを表わす（時点ｔ２以降の水圧および音響の送信対象データについては省略）。図８の（ｂ）は、送信対象データの上記４桁の数値を最上位桁から順に単純にバイナリコード化した各桁４ビットのデータを示し、破線の左側には水温に関する送信対象データの種類に関する情報「１」に対応した「０００１」が示されている。図８の（ｃ）は当該バイナリコード化データをさらに、送受信装置間の伝送エラーに配慮してＣＭＩ符号化した時系列データを表わし、強度変調に関与する。図８の（ｄ）は、２次元符号化データをＣＭＩ符号化データによって変調した結果のデータ、すなわち２次元符号化データおよび時系列データが重畳されたデータを示し、ＣＭＩ符号化データが「０」であるときの２次元符号化データは「０」となっている。
【００４６】
ここで、送信装置１００側のパターン表示と受信装置２００のカメラ２１０側とは非同期であるが、一送信対象データについて最低３フレーム分の２次元コードを連続して送信できれば受信装置２００ではこれを認識できる。一方、２次元コードに対応した表示パターンは、時系列信号に基づいて点滅することになる。ＣＭＩ符号化は、バイナリコード「０」を「０１」、「１」を「１１」と「００」とで交互に表現する方式であるので、「１」または「０」の最大連続長は３ビットである。従って、ＣＭＩ符号化データにおける「０」の最大連続長＋１＝４（ビット）以上のビット長があれば、必ず「１」が出現する。そこで、本実施形態では、当該ビット長を「４」とし、一送信対象データについて３フレーム分の２次元コードを連続して送信することを考慮して、一送信対象データについて１２フレーム分の２次元符号化データを連続して出力することで、最低でもその送信対象データに対応した２次元コードを送信できるようにした。つまり、本実施形態の場合、水温、水圧および音響の送信対象データ「Ｔ１」、「Ｐ１」および「Ａ１」に対応した２次元符号化データをそれぞれ１２フレーム分連続して出力することで、ある時点ｔ１で測定した送信対象データに対応する２次元コードをすべて送信できることになる。
【００４７】
なお、符号化方式はＣＭＩに限らず適宜のものを採用できる。また、送信対象データの２次元符号化データの連続出力フレーム数も適宜定め得るものである。但し、符号化方式によっては送信対象データに応じて「１」が出現しにくい場合もあることは考慮すべきである。
【００４８】
また、上例では２次元符号化データの連続出力数を規定し、その中で２次元コードを送信できるようにした。しかし逆に、図８（ｅ）に示すように、ＣＭＩ符号化データに出現する「１」を認識し、そこに各送信対象データの２次元符号化データを順次３フレーム分ずつ当て嵌めて行くようにしてもよい。この場合、いくつかの時点での各送信対象データもしくはその２次元符号化データを記憶しておき、「１」が出現する毎に順次当て嵌めを行うようにすればよい。この場合、記憶領域が増大し、また２次元符号化データを読み出す管理が必要となるが、図８（ｅ）から明らかなように、２次元コード送信効率が向上するという利点がある。
【００４９】
さらに、上例では水温、水圧および音響の各送信対象情報について個別の２次元コードを用いるものとした。しかしＬＥＤ１４１の配設個数および配設態様など送信対象情報領域１４２の構成にもよるが、２以上の送信対象情報を表現する２次元コードが用いられてもよい。しかし受信装置側での確実なデータ復元を期する上では各送信対象情報について個別の２次元コードを用いることが好ましく、図８について説明したような重畳処理を行うことが好ましい。
【００５０】
３．受信装置
図９は受信装置２００のハードウェア構成の一例を示す。図９においては、燃料プール１０の異なる位置に設置された２台の送信装置１００を２台のカメラ２１０で撮影する構成が例示されており、各カメラ１４０はその視野の中心に一方の送信装置１００を捉えるとともに、視野の端で他方の送信装置１００を捉えるように配置されている。なお、送信装置１００およびカメラ２１０の台数および配置箇所はあくまでも例示であって、それらは適宜定め得るものである。また、カメラとしては、ＣＣＤまたはＣＭＯＳなどを利用した２次元センサで構成されたものとすることができる。
【００５１】
受信装置２００のデータ処理装置２２０はコンピュータの形態であり、ＣＰＵ２２１、メインメモリ２２３、ハードディスク装置２２５、表示装置２２７、入力部２２９およびインターフェース（Ｉ／Ｆ）２３１〜２３３等で構成されている。ＣＰＵ２２１はコンピュータ本体の主制御部をなす。メインメモリ２２３は、ＣＰＵ２２１の基本プログラムを格納したＲＯＭのほか、オペレーティングシステムおよびタスクないしアプリケーションプログラム（図１１について後述する）の展開や、各種データの一時保存その他ワーク用に使用されるＲＡＭ等により構成される。また、ハードディスク装置２２５はオペレーティングシステムおよびアプリケーションプログラムやデータの保存に用いられる。表示装置２２７はＣＲＴあるいはＬＣＤなどの形態であり、送信装置１０の測定環境データその他をユーザに呈示する。入力部２２９はキーボードのほかマウスなどのポインティングデバイスを有し、ユーザが所用の情報を入力するために用いられる。
【００５２】
図１０を用いて受信装置２００の機能的な構成を説明する。  
カメラ２１０で撮影された燃料プール１０内の映像は、映像解析ブロック２４１で解析され、カメラ２１０自体の動作確認および各送信装置１００ないしはその設置箇所の特定が行われた後、送信情報取得ブロック２４３で各送信装置１００から送信された光情報（ＬＥＤの発光状態）が抽出される。通信状態判定ブロック２２５は取得されたＬＥＤアレイ１４０の送信対象データ領域１４２の表示状態を判定する。一方、積算放射線量判定ブロック２４９は積算線量情報提示領域１４６の各色ＬＥＤに由来する光の強度を観測し、積算放射線量を判定する。これらの確定データおよび判定データはデータ加工ブロック２５１にて加工され、表示処理ブロック２５３にてユーザに呈示される。
【００５３】
図１１は受信装置２００のデータ処理装置２２０で行われる処理手順をフローチャートで表わしたものである。  
まず、映像の取り込みを行い（ステップＳ２０１）、取り込んだ映像から各送信装置１００の映像の切り出しないしはその設置位置の特定が行われる（ステップＳ２０５）。
【００５４】
次に、これ以降処理する内容が送信対象データの復元に係るものか、あるいは積算放射線量の算定に係るものかを判定する（ステップＳ２０７）。この判定は、例えばデータ測定領域１４２のＬＥＤ群と積算線量情報提示領域１４６のＬＥＤ群とが排他的に（例えば交互に）駆動されるものであれば、いずれの領域が駆動されているかに基づいて行うことができる。
【００５５】
ここで、ステップＳ２０７にて処理内容が送信対象データの復元に係るものであると判定された場合には、各送信装置１００の送信対象データ領域１４２の画像について以下の処理が行われる。送信対象データを２次元コードとして認識できるか否かを判定する（ステップＳ２０９）。この判定にあたり、鮮明な画像が捉えられている場合には問題はなく、手順はステップＳ２１３に進む。しかし水の濁りやゆらぎが生じていると、画像が不鮮明となっていることがある。また、カメラ２１０と送信装置１００との間に気泡や異物が介在していた場合には、画像の一部が欠損していることもある。これらの画像不良に対しては誤り訂正技術を適用して画像の復元を行い、その結果２次元コードが認識可能であれば直ちにステップＳ２１３に進む一方、画像の復元ないし２次元コードの認識が不能であれば、処理対象の送信装置１００からの２次元コードの認識が不能である旨のエラー設定（ステップＳ２１１）を行ってからステップＳ２１３に進む。
【００５６】
ステップＳ２１３では時系列データが認識できるか否かを判定する。ここで肯定判定された場合にはステップＳ２１５に進み、送信対象データの復元を行う。ここでの復元は、認識された２次元コードおよび時系列データの少なくとも一方に基づいて行われるものとなる。ステップＳ２１３で否定判定された場合には、処理対象の送信装置１００からの時系列データの認識が不能である旨のエラー設定（ステップＳ２１７）を行う。
【００５７】
上記ステップ２０７にて、処理する内容が積算放射線量の算定に係るものであることが判定された場合にはステップＳ２１９に進み、積算線量情報提示領域１４６から入来する光に基づいて積算放射線量の算定が可能であるか否かを判定する。ここで肯定判定された場合にはステップＳ２２１に進み、ＬＥＤ１４６Ｒ，１４６Ｇ，１４６Ｂに由来する光の強度に基づいて積算放射線量の算定を行う。この算定は次のように行うことができる。
【００５８】
図１２は、放射線未照射の状態から積算線量が増大するにつれ、受信側の光強度比が変化することを示すグラフであり、横軸は積算線量を、縦軸は受信装置側で観測される光強度を示している（但し横軸は対数軸）。受信装置側で観測される光強度は、放射線の照射によってブラウニング化するプラスチックやガラスを含むＬＥＤが用いられている場合や、ブラウニング化する樹脂製のフィルタが積算線量情報提示領域１４６の前面に介挿されている場合、積算線量が増大するにつれて減少して行く。そして、その減少の度合いは光の波長により異なり、図１２に示すように、Ｒ，Ｇ，Ｂの順に大きくなる傾向にある。そこで本実施形態では、各色ＬＥＤ１４６Ｒ，１４６Ｇ，１４６Ｇからの光強度または相互間の強度比率に基づいて積算線量を算定するものとする。但し、赤色ダイオード１４６Ｒ、緑色ダイオード１４６Ｇおよび青色ダイオード１４６Ｂのすべての配設が必須であるわけではなく、波長の異なる光を発する少なくとも２つの光源が設けられていればよい。例えば、青色光は特に減衰しやすいので、赤色ダイオード１４６Ｒおよび緑色ダイオード１４６Ｇのみが配設されていてもよい。
【００５９】
なお、ステップＳ２１９にて積算放射線量の算定が不能であると判定された場合には、ステップＳ２２３にてその旨のエラー設定を行う。
【００６０】
再び図１１を参照するに、ステップＳ２１５、Ｓ２１７、Ｓ２２１またはＳ２２３の処理が終了すると、ステップＳ２２５にて全送信装置についての処理が終了したか否かを判定する。ここで否定判定されればステップＳ２０７に復帰し、処理内容に応じた手順を繰り返す一方、肯定判定がなされた場合には表示装置２２７に表示させるデータの作成（ステップＳ２２５）およびそれに基づく表示処理（ステップＳ２２７）を行って本手順を終了する。
【００６１】
なお、表示内容としては、例えば、送信装置の識別情報や設置位置などの送信装置に関する情報に対し、送信装置による環境条件の測定時刻または受信装置による受信時刻、積算放射線量、各送信対象データおよびその由来（２次元コードか時系列データかなど）、並びに上記のエラー情報を関連付けたものとすることができる。
【００６２】
また、表示の態様としては、上記の内容が表の形式で表示されるものでもよいし、グラフの形式で表示されるものでもよい。また、ユーザの指示に応じてそれらが切り替え表示されるものでもよい。さらに、表示装置２２７にカメラ２１０の撮影画像そのものを映し、またはモデル化して描画したものを表示し、各送信装置に送信対象データ等をスーパーインポーズして関連付ける態様とすることもできる。加えて、カメラを選択して映像の切り替えを行うようにしてもよい。
【００６３】
また、異常なデータが認識された場合には、警告が表示されるようにしてもよく、さらにこれに代えて、もしくはこれとともに、音声等による警告を発するようにすることも可能である。異常なデータが認識された場合とは、例えば、水温センサ１１０によって予期せぬ、または異常な昇温が測定された場合、水圧センサ１２０によって予期せぬ、または異常な水位低下が測定された場合、音響センサ１３０によってサブクール沸騰時に発生する音の周波数が測定された場合、および積算、線量情報提示領域１４６の各色ＬＥＤの光強度の観測に基づいて異常な積算線量が算出された場合などである。
【００６４】
４．その他
なお、本発明は、以上説明した実施形態および随所で述べた変形例に限らず、種々の変更が可能である。
【００６５】
例えば、送信装置は、水温、水圧および音響の測定を行う各種センサや、積算線量情報の提示領域を含んだものに限られない。送信装置が設置される目的や測定もしくは提示すべき環境条件に応じて適宜の測定機器を使用するものとすることができ、それらは送信装置に一体に内蔵されているものであるか否かを問わない。また、送信装置はそのように測定機器と関連付けられたものに限らず、すなわち環境条件の送信対象データを送信するものに限らず、適宜の形態を取り得るものである。例えば、自己の状態などを送信するものであってもよい。さらに、上記実施形態では光通信を行うためにＬＥＤ群を用いるものとしたが、２次元コードと時系列データとを重畳した送信が可能なものであれば、液晶パネルなど適宜の表示手段を用いることができる。液晶パネルなど面状の表示手段が用いられる場合、カラー表示を行うものでもモノクローム表示を行うものでもよい。前者の場合には、送信対象データ領域１４２および積算線量情報提示領域１４６にそれぞれ対応した発色を行えばよく、後者の場合には適宜の色のフィルタを配置すればよい。
【００６６】
さらに受信装置において、上述の実施形態では、２次元コードに基づいて復元した送信対象データと時系列データに基づいて復元した送信対象データとの双方が表示できる手順を採用した。しかし２次元コードが認識できる場合には２次元コードに基づいて復元した送信対象データのみを表示する一方、当該認識が不能である場合に限り時系列データに基づいて復元した送信対象データを表示するようにしてもよい。
【００６７】
加えて、本発明光通信システムは種々の応用が可能である。例えば災害現場もしくは災害の発生が予測されるに送信装置を設置し、これが送信する光信号をヘリコプタなどの移動体に搭載したカメラで受信するような応用も可能である。また、２次元コードについても適宜のものを採用できるのは勿論である。
【符号の説明】
【００６８】
１０  使用済み核燃料プール
１００  送信装置
１１０  水温センサ
１２０  水圧センサ
１３０  音響処理部
１４０  ＬＥＤマトリクス
１４２  送信対象データ領域
１４３  ＬＥＤ
１４６  積算線量情報提示領域
２００  受信装置
２１０  カメラ
２２０  データ処理装置
２２７  表示装置
【図１】
0006448121.tif 000002
【図２】
0006448121.tif 000003
【図３】
0006448121.tif 000004
【図４】
0006448121.tif 000005
【図５】
0006448121.tif 000006
【図６】
0006448121.tif 000007
【図７】
0006448121.tif 000008
【図８】
0006448121.tif 000009
【図９】
0006448121.tif 000010
【図１０】
0006448121.tif 000011
【図１１】
0006448121.tif 000012
【図１２】
0006448121.tif 000013